(57)【要約】【課題】太陽電池モジュールを屋根上に取り付ける際、簡単に取り付け可能であり、且つ、安定した強度を発揮可能な技術を提供する。【解決手段】屋根下地の上に葺設して屋根面を形成可能であり、太陽電池モジュール１を保持可能な屋根部材２に、太陽電池モジュール１の辺側を保持する第１保持部１６と、他辺側を保持する第２保持部１８を設ける。さらに、第１保持部１６と前記第２保持部１８は、上下方向とは交わる方向に開口する保持凹部２８，３８を備えた構造とし、その少なくとも一方は弾性変形が可能な構造とする。そして、第１保持部１６と第２保持部１８の少なくとも一方を弾性変形させることで、太陽電池モジュール１の縁端部分を上方から保持凹部２８に挿入可能とする。【選択図】図１３
2016191269.tif 000002
【特許請求の範囲】
【請求項１】
屋根下地の上に葺設して屋根面を形成可能であり、太陽電池モジュールを保持可能な屋根部材であって、
前記太陽電池モジュールの対向する２辺のうち、一辺側を保持するための第１保持部と、他辺側を保持するための第２保持部とを有し、
前記第１保持部と前記第２保持部は、前記太陽電池モジュールの縁端近傍を保持するための保持凹部をそれぞれ備えており、前記保持凹部は、上下方向とは交わる方向に開口する凹部であって、
前記第１保持部と前記第２保持部の少なくとも一方は、上方又は下方から押圧されることで弾性変形が可能であり、弾性変形した状態では、前記保持凹部が前記太陽電池モジュールの縁端部分を上方から挿入可能な状態となり、弾性変形が解消された状態では、前記保持凹部は、自身が保持する前記太陽電池モジュールの縁端部分の上方向への移動を規制することを特徴とする屋根部材。
【請求項２】
前記第１保持部と前記第２保持部の少なくとも一方は、板体を折り曲げ加工することで形成されることを特徴とする請求項１に記載の屋根部材。
【請求項３】
請求項１又は２に記載の屋根部材を屋根下地上に葺設し、前記屋根部材に前記太陽電池モジュールを保持させて形成される屋根構造であって、
前記太陽電池モジュールが対向する２辺のそれぞれが前記第１保持部と前記第２保持部にそれぞれに保持された状態でスライド移動が可能であることを特徴とする屋根構造。
【請求項４】
複数の前記屋根部材が並列配置された状態となっており、前記太陽電池モジュールは、隣接する２つの前記屋根部材の隣接境界を跨いだ状態で取り付け可能であることを特徴とする請求項３に記載の屋根構造。
【請求項５】
屋根面の少なくとも一部に１又は複数の前記屋根部材が葺設された屋根部材葺設領域を有し、
前記屋根部材葺設領域の端部近傍に化粧板部材が取り付けられることを特徴とする請求項３又は４に記載の屋根構造。
【請求項６】
請求項１又は２に記載の屋根部材を使用して屋根面に前記太陽電池モジュールを取り付ける太陽電池モジュールの取付方法であって、
屋根下地の上に前記屋根部材を葺設する工程と、
前記第１保持部又は前記第２保持部のうちの一方の前記保持凹部に、前記太陽電池モジュールの対向する２辺のうちの一辺側を保持させる工程と、
一方の前記保持凹部に保持された前記太陽電池モジュールの一辺側の部分を回動中心として前記太陽電池モジュールを回動させ、前記太陽電池モジュールの他辺側の部分を前記第１保持部又は前記第２保持部のうちの他方に上側から近接させる工程と、
前記第１保持部又は前記第２保持部の他方を弾性変形させて、前記太陽電池モジュールの他辺側の部分を前記保持凹部に挿入する工程を実施することを特徴とする太陽電池モジュールの取付方法。
【請求項７】
屋根下地の上に太陽電池モジュールを保持可能な金属製の屋根部材を葺設し、前記屋根部材に前記太陽電池モジュールを保持させることで屋根上に前記太陽電池モジュールを取り付ける太陽電池モジュールの取付構造であって、
前記太陽電池モジュールは、太陽電池パネルと、前記太陽電池パネルの縁部分に取り付けられるフレーム部材を備えており、
前記フレーム部材と前記屋根部材の一方は、他方側に突出する掛止突起を備え、前記フレーム部材と前記屋根部材の他方は、前記掛止片部を掛止するための掛止凹部を備えた保持部を有しており、
前記掛止突起は、突起本体部と、突起本体部の側面から側方に突出する掛止片部を有しており、前記掛止凹部は、上下方向とは交わる方向に開口する凹部であって、
前記掛止突起と前記保持部の少なくとも一方は、前記掛止突起と前記保持部を重ねた状態で前記フレーム部材を前記屋根部材側へ移動させることで弾性変形するものであり、弾性変形することで一時的に前記掛止突起が前記掛止凹部へ上方又は下方から挿入下方となるものであり、
前記掛止突起が前記掛止凹部に挿入された状態で、前記太陽電池モジュールが上下方向と交わる方向にスライド移動が可能であることを特徴とする太陽電池モジュールの取付構造。
【発明の詳細な説明】
【技術分野】
【０００１】
本発明は、屋根下地上に葺設して屋根面を形成可能であり、別途形成された太陽電池モジュールの取り付けを可能とする屋根部材に関するものである。また、本発明は、そのような屋根部材によって屋根上に太陽電池モジュールを取り付けた屋根構造、屋根上に太陽電池モジュールを取り付けるための取付方法、屋根部材に太陽電池モジュールを取り付けて形成される太陽電池モジュールの取付構造である。
【背景技術】
【０００２】
近年、太陽光のエネルギーにより発電する太陽光発電システムが急速に普及している。このような太陽光発電システムとして、太陽電池モジュールを建屋の屋上に設置して形成されるものが知られている。
【０００３】
太陽電池モジュールを屋根上に取り付ける取付構造として、屋根上に架台等の金具を固定し、固定した金具に太陽電池モジュールを固定する構造と、瓦と太陽電池モジュールを一体化した所謂瓦一体型と称される太陽電池モジュールを屋根上に敷き詰めていく構造が知られている。
【０００４】
後者の構造として、太陽電池モジュールを瓦の機能を発揮させるように形成し、この太陽電池モジュールを屋根下地上に直接敷き詰めていくものと、予め屋根上に瓦の機能を発揮する取り付け用の部材を敷設し、この部材に対して屋根上で太陽電池モジュールを取り付けていくものがある。そして、屋根上で太陽電池モジュールを取り付けるものとしては、例えば、特許文献１、特許文献２に開示されたものが知られている。
【０００５】
特許文献１に開示された取付構造では、太陽電池モジュールの対向する２辺のうちの一方側を嵌入可能な溝を備えた１つの枠体と、もう一方側を下方から支持する部分を設けた枠体とを、平板状の鋼板瓦に一体に固定している。このとき、１つの枠体は屋根の傾斜方向で最も軒側となる端部に固定され、もう１つの枠体は屋根の傾斜方向で最も棟側となる端部に固定されている。
【０００６】
そして、太陽電池モジュールの軒側端部を枠体に形成された溝部分に嵌入させ、棟側端部をもう一方の枠体に載置させた状態で、棟側に位置する枠体に別途形成された固定部材を固定することで、太陽電池モジュールを固定している。
このような構造によると、太陽電池モジュールと架台とをネジ止め等で一体に固定する一般的な固定構造に比べ、太陽電池モジュールの取付作業を簡易化できるという利点がある。すなわち、固定部材のみをビスで固定すればよく、太陽電池モジュールのフレームに形成した取付孔と架台に形成した取付孔とを重ね合わせる位置合わせ作業を実施し、１つ１つネジ止めしていくといった作業を必要としない。このことにより、作業者は、より簡単に太陽電池モジュールを固定できるという利点がある。
【０００７】
特許文献２に開示された取付構造では、陶器瓦に窪みを設けると共に、この窪みの外表面の一部に周囲よりもさらに窪んだ掛止凹部を設けている。そして、太陽電池モジュールのフレームに弾性を有する突起を設け、この突起を陶器瓦の掛止凹部に挿入することで、太陽電池モジュールと陶器瓦を一体に固定している。
【０００８】
この構造では、予め陶器瓦を敷設した後、屋根上に敷き付けられた陶器瓦に対して太陽電池モジュールの取り付けが可能となる。すなわち、屋根上に陶器瓦を取り付ける際には、陶器瓦に対して太陽電池モジュールが取り付けられておらず、陶器瓦の取付作業中に誤って太陽電池モジュール破損させてしまうことがない。また、太陽電池モジュールが取り付けられていない陶器瓦を屋根上に取り付けることから、太陽電池モジュール付きの瓦を敷設する場合とは異なり、熟練の技術を必要としない。すなわち、あたかも通常の瓦の取り付けるかのように取付作業を実施できる。さらに、太陽電池モジュール側の突起を掛止凹部に挿入するだけで取り付けが可能となるので、ネジ止め等で固定する場合とは異なり、取付作業を容易に実施できる。
【先行技術文献】
【特許文献】
【０００９】
【特許文献１】特許第４１３８６９７号公報
【特許文献２】特開２００４−１４３９１０号公報
【発明の概要】
【発明が解決しようとする課題】
【００１０】
しかしながら、特許文献１，２にそれぞれ開示された構造は、いずれも太陽電池モジュールを簡単に固定し、且つ、安定した強度を発揮させるという点において、改良の余地がある。
【００１１】
特許文献１の構造では、別途形成した固定部材を固定する作業が必要であり、その際には位置合わせ作業及びネジ止め作業が必要となる。しかしながら、屋根の縁端近傍のような狭い場所でこの作業を実施することは手間であり、より簡単な作業で太陽電池モジュールを固定したいという欲求があった。
【００１２】
また、特許文献２の構造では、陶器瓦に形成した掛止凹部に直接突起を挿入するため、太陽電池モジュールが強風に煽られる等の理由によって予期せぬ外力が加わったとき、陶器瓦が破損してしまうおそれがある。すなわち、太陽電池モジュールを取り付けた際に安定した強度を発揮させるという点で問題があった。
【００１３】
そこで本発明は、太陽電池モジュールを屋根上に取り付ける際、簡単に取り付け可能であり、且つ、安定した強度を発揮可能な技術を提供することを課題とする。
【課題を解決するための手段】
【００１４】
上記課題を解決するための請求項１に記載の発明は、屋根下地の上に葺設して屋根面を形成可能であり、太陽電池モジュールを保持可能な屋根部材であって、前記太陽電池モジュールの対向する２辺のうち、一辺側を保持するための第１保持部と、他辺側を保持するための第２保持部とを有し、前記第１保持部と前記第２保持部は、前記太陽電池モジュールの縁端近傍を保持するための保持凹部をそれぞれ備えており、前記保持凹部は、上下方向とは交わる方向に開口する凹部であって、前記第１保持部と前記第２保持部の少なくとも一方は、上方又は下方から押圧されることで弾性変形が可能であり、弾性変形した状態では、前記保持凹部が前記太陽電池モジュールの縁端部分を上方から挿入可能な状態となり、弾性変形が解消された状態では、前記保持凹部は、自身が保持する前記太陽電池モジュールの縁端部分の上方向への移動を規制することを特徴とする屋根部材である。
【００１５】
本発明の屋根部材は、太陽電池モジュールの対向する２辺のうち、一辺側を保持するための第１保持部と、他辺側を保持するための第２保持部を備えており、第１保持部と第２保持部のそれぞれが、上下方向とは交わる方向に開口する保持凹部を備えた構造となっている。そして、第１保持部と第２保持部の少なくとも一方は、上方又は下方から押圧されることで弾性変形が可能であり、弾性変形した状態では、保持凹部が太陽電池モジュールの縁端部分を上方から挿入可能な状態となる。
このことにより、太陽電池モジュールの縁端部分を屋根部材側へ移動させ、嵌め入れるだけで太陽電池モジュールを取り付けることが可能となるので、必ずしもネジ止め等の煩雑な作業を必要とせず、太陽電池モジュールの取付作業を簡易化できる。
【００１６】
また、太陽電池モジュールを保持するための保持部を弾性変形可能な構造とすることにより、保持部に対して予期せぬ外力が加わった場合でも、弾性変形することで力を逃がすことが可能となる。このことにより、保持部を破損し難い構造とすることができる。
具体的に説明すると、本発明の屋根部材では、構造上、太陽電池モジュールを取り外す際に保持部に対して所定の方向に一定以上の力を加え、所定の形状に弾性変形させる必要がある。つまり、保持部に対して所定の方向以外の方向に力が加わった場合や、一定に満たない力が加わった場合は、保持部は弾性変形するものの、太陽電池モジュールの取り外しができない形状に変形することとなる。
言い換えると、所定の方向に一定以上の力が加わらず、また、加わる力が破損に至るほどの極めて強い力でない限り、保持部は弾性変形することで力を逃がすことが可能となる。このことにより、太陽電池モジュールを取り付けた際に安定した強度を発揮させることが可能となる。
【００１７】
請求項２に記載の発明は、前記第１保持部と前記第２保持部の少なくとも一方は、板体を折り曲げ加工することで形成されることを特徴とする請求項１に記載の屋根部材である。
【００１８】
かかる構成によると、本発明の屋根部材を簡単且つ安価に製造可能となるので、好ましい。
【００１９】
請求項３に記載の発明は、請求項１又は２に記載の屋根部材を屋根下地上に葺設し、前記屋根部材に前記太陽電池モジュールを保持させて形成される屋根構造であって、前記太陽電池モジュールが対向する２辺のそれぞれが前記第１保持部と前記第２保持部にそれぞれに保持された状態でスライド移動が可能であることを特徴とする屋根構造である。
【００２０】
かかる構成によると、屋根上の取り付け易い位置で太陽電池モジュールを屋根部材に取り付け、その後にスライド移動させて位置合わせが可能となる。すなわち、足場の悪い屋根上で作業者が太陽電池モジュールを持ち運んだりすることなく、太陽電池モジュールを設置予定位置に配することが可能となるので、太陽電池モジュールの取付作業をさらに簡易化できる。
【００２１】
本発明は、複数の前記屋根部材が並列配置された状態となっており、前記太陽電池モジュールは、隣接する２つの前記屋根部材の隣接境界を跨いだ状態で取り付け可能であることが好ましい（請求項４）。
【００２２】
請求項５に記載の発明は、屋根面の少なくとも一部に１又は複数の前記屋根部材が葺設された屋根部材葺設領域を有し、前記屋根部材葺設領域の端部近傍に化粧板部材が取り付けられることを特徴とする請求項３又は４に記載の屋根構造である。
【００２３】
かかる構成によると、屋根部材が際立って見えてしまうことがなく、美しい外観の屋根面を形成することができる。
【００２４】
請求項６に記載の発明は、請求項１又は２に記載の屋根部材を使用して屋根面に前記太陽電池モジュールを取り付ける太陽電池モジュールの取付方法であって、屋根下地の上に前記屋根部材を葺設する工程と、前記第１保持部又は前記第２保持部のうちの一方の前記保持凹部に、前記太陽電池モジュールの対向する２辺のうちの一辺側を保持させる工程と、一方の前記保持凹部に保持された前記太陽電池モジュールの一辺側の部分を回動中心として前記太陽電池モジュールを回動させ、前記太陽電池モジュールの他辺側の部分を前記第１保持部又は前記第２保持部のうちの他方に上側から近接させる工程と、前記第１保持部又は前記第２保持部の他方を弾性変形させて、前記太陽電池モジュールの他辺側の部分を前記保持凹部に挿入する工程を実施することを特徴とする太陽電池モジュールの取付方法である。
【００２５】
本発明の太陽電池モジュールの取付方法では、太陽電池モジュールの対向する２辺のうちの一辺側を保持させ、太陽電池モジュールを回動させるだけで取り付けが可能であるので、太陽電池モジュールの取り付けが容易である。
すなわち、太陽電池モジュールの取付孔と金具の取付孔を重ね合わせるような、太陽電池モジュールと取付対象となる部材の細かな位置合わせを必要とせず、必ずしもネジ止め等の煩雑な固定作業を必要としないので、太陽電池モジュールの取付作業を簡易化できる。
【００２６】
請求項７に記載の発明は、屋根下地の上に太陽電池モジュールを保持可能な金属製の屋根部材を葺設し、前記屋根部材に前記太陽電池モジュールを保持させることで屋根上に前記太陽電池モジュールを取り付ける太陽電池モジュールの取付構造であって、前記太陽電池モジュールは、太陽電池パネルと、前記太陽電池パネルの縁部分に取り付けられるフレーム部材を備えており、前記フレーム部材と前記屋根部材の一方は、他方側に突出する掛止突起を備え、前記フレーム部材と前記屋根部材の他方は、前記掛止片部を掛止するための掛止凹部を備えた保持部を有しており、前記掛止突起は、突起本体部と、突起本体部の側面から側方に突出する掛止片部を有しており、前記掛止凹部は、上下方向とは交わる方向に開口する凹部であって、前記掛止突起と前記保持部の少なくとも一方は、前記掛止突起と前記保持部を重ねた状態で前記フレーム部材を前記屋根部材側へ移動させることで弾性変形するものであり、弾性変形することで一時的に前記掛止突起が前記掛止凹部へ上方又は下方から挿入下方となるものであり、前記掛止突起が前記掛止凹部に挿入された状態で、前記太陽電池モジュールが上下方向と交わる方向にスライド移動が可能であることを特徴とする太陽電池モジュールの取付構造である。
【００２７】
本発明の太陽電池モジュールの取付構造においても、上記した場合と同様に、太陽電池モジュールの取付作業を簡易化可能であり、太陽電池モジュールを取り付けた際に安定した強度を発揮させることが可能となる。
【発明の効果】
【００２８】
本発明によると、太陽電池モジュールの取付作業を簡易化可能であり、太陽電池モジュールを取り付けた際に安定した強度を発揮させることができる。
【図面の簡単な説明】
【００２９】
【図１】本発明の第１実施形態にかかる太陽電池モジュールの取付構造で太陽電池モジュールを屋根上に取り付けた様子を示す斜視図である。
【図２】図１の太陽電池モジュールを示す斜視図である。
【図３】図１の屋根部材を示す斜視図である。
【図４】図３の屋根部材を示す側面図である。
【図５】図１の太陽電池モジュールの取付構造を構築する際の手順を示す説明図であり、屋根下地上に吊子部材を取り付ける様子を示す。
【図６】図５に続いて軒側第１段目の屋根部材を取り付ける様子を示す側面図であり、（ａ），（ｂ）の順に取り付ける。
【図７】軒側第１段目の屋根部材を取り付けた様子を示す斜視図である。
【図８】図６、図７に続いて軒側第２段目の屋根部材を取り付ける様子を示す側面図であり、（ａ），（ｂ）の順に取り付ける。
【図９】軒側第２段目の屋根部材を取り付けた様子を示す斜視図である。
【図１０】図９の状態の屋根面を模式的に示す説明図である。
【図１１】軒側第３段目の屋根部材を取り付けた様子を示す斜視図である。
【図１２】図１１の状態の屋根面を模式的に示す説明図である。
【図１３】図１１、図１２に続いて軒側第１段目の太陽電池モジュールを取り付ける様子を示す側面図であり、（ａ）〜（ｃ）の順に取り付ける。
【図１４】軒側第１段目の太陽電池モジュールを１つだけ取り付けた様子を示す説明図である。
【図１５】軒側第２段目の太陽電池モジュールを取り付ける様子を示す側面図である。
【図１６】太陽電池モジュールを取り付けた後、側方側化粧板金と軒側化粧板金を取り付ける様子を示す斜視図である。
【図１７】図３の屋根部材と、図３の屋根部材とは異なる形状の屋根部材を並列配置した様子を示す説明図であり、（ａ）は太陽電池モジュールと化粧用部材を取り付ける前の状態を示し、（ｂ）は太陽電池モジュールと化粧用部材を取り付けた後の状態を示すものであって、太陽電池モジュールを透過させて示す。
【図１８】図３、図１７の屋根部材とは異なる形状の屋根部材を示す斜視図である。
【図１９】本発明の第２実施形態にかかる太陽電池モジュールの取付構造で採用される太陽電池モジュールを示す図であり、（ａ）は太陽電池モジュールの斜視図であり、（ｂ）は太陽電池モジュールの断面図であって、掛止突起のハッチングを省略して示す。
【図２０】本発明の第２実施形態にかかる太陽電池モジュールの取付構造で採用される屋根部材を示す斜視図である。
【図２１】図２０の屋根部材を示す側面図である。
【図２２】本発明の第２実施形態にかかる太陽電池モジュールの取付構造を構築する際の手順を示す図であり、屋根部材に太陽電池モジュールを取り付ける様子を示す側面図であって、（ａ）〜（ｃ）の順に太陽電池モジュールを取り付ける。
【発明を実施するための形態】
【００３０】
以下、本発明の各実施形態について詳細に説明する。なお、以下の説明において、特に断りがない限り、上下左右前後の位置関係は、図１で示される通常の設置位置を基準に説明する。
【００３１】
第１実施形態の太陽電池モジュール１の取付構造は、図１で示されるように、屋根下地の上に公知の金属瓦（図示しない）と屋根部材２を葺設し、屋根部材２の上に太陽電池モジュール１を取り付けたものである。また、金属瓦と屋根部材２の他、屋根下地上の必要部分には、側方側化粧板金３（化粧板部材）と棟側化粧板金４（化粧板部材）が取り付けられている。
【００３２】
太陽電池モジュール１は、図２で示されるように、太陽電池パネル１０の周縁部分にフレーム１１を取り付けて形成されるものである。
【００３３】
太陽電池パネル１０は、略長方形平板状の部材であり、樹脂製の裏面封止材と、受光面を形成するガラス基板の間に光電変換素子を備えた太陽電池セルを封止して形成される板状の部材である。
【００３４】
フレーム１１は、太陽電池パネル１０の短辺を覆うように取り付けられる短辺側部材１２と、長辺を覆うように取付けられる長辺側部材１３を備えており、これらが一体に固定されて四角環状のフレーム１１を形成している。
【００３５】
屋根部材２は、図３で示されるように、ガルバリウム鋼板等の金属製の板状部材を必要に応じて重ね合わせたり、折り曲げ加工したりすることで形成される部材であり、その外形が平面的な広がりをもつ平板状の部材であって、屋根下地上に葺設することで瓦としての機能を発揮するものである。
【００３６】
この屋根部材２は、前端側（軒側）の一部分を上方に折り曲げて形成される軒側辺保持部１６（第１保持部）と、前端側（軒側）の一部分を下方に折り曲げて形成される軒側引掛部１７と、軒側辺保持部１６から後側（棟側）に離れた位置に形成される棟側辺保持部１８（第２保持部）と、棟側辺保持部１８よりもさらに後側（棟側）に形成される棟側引掛部１９を備えた構造となっている。
そして、軒側辺保持部１６の下端であって軒側引掛部１７の上端となる部分と、棟側辺保持部１８の下端の間に本体板前方部２０が位置している。同様に、棟側辺保持部１８の下端と棟側引掛部１９の下端の間に本体板中央部２１が位置し、本体板中央部２１の下端の後方に本体板後方部２２が位置している。
【００３７】
本体板前方部２０、本体板中央部２１、本体板後方部２２は、いずれも平板状の部分であり、同じ高さに配されている。すなわち、本体板前方部２０、本体板中央部２１、本体板後方部２２が並列に配置されることで、屋根部材２の略全域に水平方向に広がりを持った面が形成されている。
すなわち、軒側辺保持部１６、棟側辺保持部１８、棟側引掛部１９は、いずれも本体板前方部２０、本体板中央部２１、本体板後方部２２によって形成される広がりを持った面から上方に突出した部分となっている。また、軒側引掛部１７は、本体板前方部２０、本体板中央部２１、本体板後方部２２によって形成される広がりを持った面から、下方に突出した部分となっている。
【００３８】
軒側辺保持部１６は、図４で示されるように、上方に立ち上げられて直立した姿勢となる平板状の立板状部２３と、立板状部２３の上端に形成される係合片部２４とを備えた構造となっている。この軒側辺保持部１６は、板体を折り曲げて形成することで、弾性変形が可能な構造となっている。
【００３９】
係合片部２４は、平板状の部分を適宜折曲させて形成されるものであり、立板状部２３の上端から後側上方（棟側上方）に突出する第１板部２５と、第１板部２５の上端から後側下方（棟側下方）に突出する第２板部２６と、第２板部２６の下端から前側（軒側）に突出する第３板部２７とが一体に連続して形成される部分である。
【００４０】
ここで、第１板部２５は、後側になるにつれて高さが高くなるように上向きに傾斜しており、第２板部２６は、後側になるにつれて高さが低くなるように下向きに傾斜している。すなわち、第１板部２５と第２板部２６は、上方に凸となるように山なりに連続した状態となっている。
【００４１】
また、第３板部２７は、第２板部２６の後端であり下端となる部分から、前側に向かって折り返された部分であり、山なりに連続する第１板部２５及び第２板部２６の下方に位置している。
すなわち、係合片部２４は、略三角筒状に折り曲げられた部分となっている。
【００４２】
第３板部２７の下方には、太陽電池モジュール１の軒側端部を収納可能な軒側保持凹部２８（保持凹部）が形成されている。
【００４３】
軒側保持凹部２８は、立板状部２３と、係合片部２４と、立板状部２３の下端から後方に広がる本体板前方部２０によって囲まれる空間である。
この軒側保持凹部２８は、後側（棟側）を向いた開口面を有し、前側（軒側）に向かって窪んだ凹部となっている。すなわち、軒側保持凹部２８の深さ方向は、後側から前側へ向かう方向（棟側から軒側へ向かう方向）となっている。また、軒側保持凹部２８は、桁行方向（図３等参照、図４では奥行方向）に延びる凹部となっている。つまり、軒側保持凹部２８は、前方に向かって凹となり、左右方向となる桁行方向にも延びる略直方体状の空間となっている。
【００４４】
このように、軒側保持凹部２８は、上下方向と交わる方向（本実施形態では後方）に向かって開口し、上下方向と交わる方向（本実施形態では前後方向）に深くなる凹部であるといえる。つまり、軒側保持凹部２８は、上面側や下面側ではなく側面側に開口面を有する凹部となっている。
【００４５】
軒側引掛部１７は、側面視した形状が略Ｌ状となる突起状の部分であり、立板状の下側立板部３２と、下側立板部３２の下端から後方に突出する平板状の引掛板部３３を備えた構造となっている。
【００４６】
下側立板部３２は、上方に位置する立板状部２３の下端と連続する部分であり、立板状部２３と共に屋根部材２の前端面を形成している。すなわち、下側立板部３２は、前側端部（軒側端部）の下方に位置する立板状の部分となっている。
そして、引掛板部３３の上方であり、本体板前方部２０、下側立板部３２、引掛板部３３によって囲まれた部分には、前方に向かって凹となり、左右方向となる桁行方向（図４の奥行方向）にも延びる略直方体状の空間が形成された状態となっている。
【００４７】
棟側辺保持部１８は、上方に立ち上げられた板状部分が前後方向で重なって形成される立壁状部３６と、立壁状部３６の上端から前方（軒側）に突出する板状部分が上下方向で重なって形成される平板状部３７を備えた構造となっている。つまり、立壁状部３６と平板状部３７とが断面形状が略Ｌ字状となるように連続しており、折曲しつつ延びる鉤状の突起部分を形成している。
【００４８】
ここで、平板状部３７の下方には、太陽電池モジュール１の棟側端部を収納可能な棟側凹部３８（保持凹部）が形成されている。
【００４９】
棟側凹部３８は、立壁状部３６と、平板状部３７と、立壁状部３６の下端から前方に広がる本体板前方部２０によって囲まれる空間である。
この棟側凹部３８は、前側（軒側）を向いた開口面を有し、後側（棟側）に向かって窪んだ凹部となっている。すなわち、棟側凹部３８の深さ方向は、前側から後側へ向かう方向（軒側から棟側へ向かう方向）となっている。また、棟側凹部３８は、桁行方向（図３参照、図４では奥行方向）に延びる凹部となっている。つまり、棟側凹部３８は、後方に向かって凹となり、左右方向となる桁行方向（図４では奥行方向）にも延びる略直方体状の空間となっている。
【００５０】
すなわち、棟側凹部３８もまた、上下方向と交わる方向（本実施形態では前方）に向かって開口し、上下方向と交わる方向（本実施形態では前後方向）に深くなる凹部であるといえる。つまり、棟側凹部３８もまた、上面側や下面側ではなく側面側に開口面を有する凹部となっている。
【００５１】
このように、軒側保持凹部２８の開口面と棟側凹部３８の開口面は、前後方向（軒棟方向）で所定間隔を空けて対向するように配されている。そして、後方から前方へ向かう方向である軒側保持凹部２８の深さ方向と、前方から後方へ向かう方向である棟側凹部３８の深さ方向は、互いに離れる方向となっている。
つまり、軒側保持凹部２８と棟側凹部３８は、いずれも側方が開放された略直方体状の空間であり、その開口面同士が離間対向するように、軒棟方向で所定の間隔を空けて配された状態となっている。
【００５２】
棟側引掛部１９もまた、上方に立ち上げられた板状部分が前後方向で重なって形成される立設片部４２と、立設片部４２の上端から前方（軒側）に突出する板状部分が上下方向で重なって形成される突出片部４３を備えた構造となっている。つまり、立設片部４２と突出片部４３とが断面形状が略Ｌ字状となるように連続しており、折曲しつつ延びる鉤状の突起部分を形成している。
【００５３】
そして、突出片部４３の下方であり、立設片部４２と、突出片部４３と、立設片部４２下端から前方に広がる本体板中央部２１によって囲まれた部分には、後方に向かって凹となり、左右方向となる桁行方向（図３参照、図４では奥行方向）にも延びる略直方体状の空間が形成された状態となっている。
【００５４】
続いて、本実施形態の太陽電池モジュール１の取付構造を構築するための太陽電池モジュール１の取付方法について詳細に説明する。
【００５５】
まず、図５で示されるように、野地板に防水シート等を敷いて形成される屋根下地に対し、吊子部材４８を固定する。より詳細には、屋根下地の軒側端部よりやや棟側の位置に吊子部材４８を固定している。
【００５６】
吊子部材４８は、公知のものと同様の構造であり、金属板を折り曲げて形成される部材であって、平板状の取付用板４９と、取付用板４９の軒側端部に形成される鉤状突起５０を備えた構造となっている。そして、鉤状突起５０は、取付用板４９の端部を上方に折り曲げて形成される立て板状の突起立板部５１と、この立板状の部分の上端を前側（軒側）に折り曲げて形成される平板状の突起平板部５２を有する構造となっている。
【００５７】
本実施形態では、図５で示されるように、複数の吊子部材４８を桁行方向（軒棟方向と直交する方向）で所定の間隔を空けて並列配置している。そして、それぞれの吊子部材４８の取付用板４９を屋根下地（野地板）の上に載置し、取付用板４９にねじ、釘等の締結要素を挿通することにより、吊子部材４８を屋根下地（野地板）に対して一体に固定している。
【００５８】
このように、吊子部材４８を屋根下地に固定することで、それぞれの吊子部材４８が固定された部分では、突起平板部５２の下面と野地板の表面の間に空間が形成された状態となる。
【００５９】
続いて、軒側第１段目の屋根部材２ａを固定する。
すなわち、図６で示されるように、屋根部材２ａの軒側引掛部１７を吊子部材４８の鉤状突起５０に引っ掛け、傾斜の高い側である棟側へと引っ張り、棟側引掛部１９の後方に位置する本体板後方部２２を屋根下地（野地板）の上に重ねた状態で、本体板後方部２２に締結要素を挿通する。このことにより、屋根部材２ａが屋根下地上に固定された状態となる。
【００６０】
そして、同様の手順によって軒側第１段目の屋根部材２ａを屋根上に敷設していく。すなわち、図７で示されるように、軒側第１段目の屋根部材２ａを桁行方向で並列するように固定していく。このとき、隣接する屋根部材２ａの端部同士は密着した状態となっている。すなわち、本実施形態では、複数の屋根部材２ａが隙間なく並列した状態となっている。
【００６１】
このことにより、それぞれの屋根部材２ａの軒側辺保持部１６と、棟側辺保持部１８もまた桁行方向で隙間なく並列した状態となっている。このため、それぞれの軒側保持凹部２８（図４参照）と、それぞれの棟側凹部３８（図４参照）もまた、桁行方向で隙間なく並列した状態となっている。
【００６２】
このように、複数の軒側辺保持部１６が隙間なく並列することで、あたかも桁行方向に延びる長尺状の突起部分が形成された状態となる。また、棟側辺保持部１８が隙間なく並列することでも、同様に、あたかも桁行方向に延びる長尺状の突起部分が形成された状態となる。
また、複数の軒側保持凹部２８が隙間なく並列することで、桁行方向に延びる長尺状の空間が形成されている。同様に、複数の棟側凹部３８が隙間なく並列することで、桁行方向に延びる長尺状の空間が形成されている。
【００６３】
軒側第１段目の屋根部材２ａの取り付けが完了すると、それに続いて、図８で示されるように、軒側第２段目の屋根部材２ｂを取り付ける。
すなわち、軒側第２段目の屋根部材２ｂの軒側引掛部１７を、軒側第１段目の棟側引掛部１９に引っ掛け、軒側第２段目の屋根部材２ｂを傾斜の高い側である棟側へと引っ張った状態とする。その状態で、軒側第２段目の屋根部材２ｂのうち、棟側引掛部１９の後方に位置する本体板後方部２２を屋根下地（野地板）の上に重ねた状態とし、この本体板後方部２２に締結要素を挿通する。このことにより、屋根部材２ｂが屋根下地上に固定された状態となる。
【００６４】
このことにより、軒側の屋根部材２ａの棟側の一部と、棟側の屋根部材２ｂの軒側の一部とが重なった状態で、軒棟方向（屋根の傾斜方向）で隣接する２つの屋根部材２が固定されることとなる。
【００６５】
軒側第２段目においても、上記した軒側第１段目と同様に、複数の屋根部材２ｂを桁行方向で並列するように固定していく（図９、図１０参照）。すなわち、軒側第１段目と同様に、隣接する屋根部材２ｂの端部同士が密着し、複数の屋根部材２ｂが桁行方向で隙間なく並列した状態となっている。
【００６６】
さらに、軒側第２段目と同様の手順で軒側３段目以降の屋根部材２を順次固定していく（図１１参照）。なお、本実施形態では軒側３段目までの屋根部材２を固定する例を示しているが、屋根下地の設置面積により、４段目以降の屋根部材２を固定してもよいことは当然である。
【００６７】
こうして、図１２で示されるように、屋根下地の上に屋根部材２と通常の金属瓦（図示しない）が葺設された屋根面が完成する。すなわち、屋根面に屋根部材２が葺設された部分（屋根部材葺設領域）と、通常の金属瓦が葺設された部分が形成される。なお、通常の金属瓦は、屋根部材２の取り付けと共に適宜取り付けてもよく、屋根部材２の取り付けの前後に取り付けてもよい。
この状態では、桁行方向で並列する複数の屋根部材２が屋根の傾斜方向に複数段（３段）並べられた状態で配置されることとなる。
【００６８】
この完成した屋根面は、通常の屋根面と同様に、防雪、防雨、防水の効果を発揮する。
つまり、太陽電池モジュールを瓦の機能を発揮させるように形成し、この太陽電池モジュールを屋根下地上に直接敷き詰めていく場合、全ての太陽電池モジュールの取り付けが完了しない限り、屋根下地が外部に露出した状態となる。このため、このような太陽電池モジュールの取付作業中に急に雨や雪が降ってしまうと、屋根下地に雨等が降りかかり、野地板等が傷んでしまう原因となり得る。ここで、太陽電池モジュールの取付作業は、特殊な取付けを必要としたり、配線の接続を必要としたりするため、一般的に、通常の瓦の取付作業と比べて時間の掛かる作業となっている。そのため、作業中に天候が急変することがあり、そのことで屋根下地が傷んでしまう場合がある。
【００６９】
これに対し、本実施形態の太陽電池モジュール１の取付方法では、屋根部材２と通常の金属瓦（図示しない）が葺設された屋根面が完成された後、太陽電池モジュール１を取り付けるので、後述する太陽電池モジュール１の取付作業中に急に雨や雪が降った場合であっても、屋根下地が傷んでしまうことが無い。
また、本実施形態の屋根部材２は、通常の金属瓦と略同じ作業で取り付けが可能であるので、その取り付けに特殊な技術を要さず、比較的短時間での取り付けが可能となっている。このことからも、上記した天候急変に起因する屋根下地の破損の可能性を低減させることが可能となっている。
【００７０】
また、屋根面を完成させた後に太陽電池モジュール１の取り付けが可能であることから、屋根面を構築する際に太陽電池モジュール１が屋根上に配置されていない状態で作業を実施することができる。すなわち、けらばや棟等のような屋根上で特に広い作業スペースの確保が難しく、足場の悪い位置で作業するとき、周辺に太陽電池モジュール１を設置していない状態で作業を実施することが可能となる。このことから、けらばや棟等で行う作業を簡易化できると共に、作業者が誤って太陽電池モジュール１を踏んでしまい、太陽電池モジュール１が破損するといった事故を防止することができる。
【００７１】
この屋根面の構築作業に続いて、図１３で示されるように、軒側第１段目の太陽電池モジュール１ａの取り付けを実施する。
まず、図１３（ａ）で示されるように、太陽電池モジュール１ａの棟側端部を棟側凹部３８に挿入させつつ、棟側凹部３８に挿入させた部分を回動中心して太陽電池モジュール１ａを回動させる。すなわち、太陽電池モジュール１ａの軒側端部を下方側へと移動させ、軒側第１段目の屋根部材２ａの軒側辺保持部１６（係合片部２４）に上方から近接させていく。
【００７２】
そして、太陽電池モジュール１ａの軒側端部が軒側辺保持部１６（係合片部２４）に上方から当接した状態で、太陽電池モジュール１ａの軒側端部を下方側へと押圧することにより、係合片部２４を弾性変形させた状態とする（図１３（ｂ）参照）。すなわち、上面が傾斜面となった第２板部２６を上方から押圧することで、軒側へ向かう方向への力が係合片部２４に作用し、第２板部２６と第３板部２７が一時的に軒側へと移動する。このことにより、太陽電池モジュール１ａの軒側端部は、一時的に係合片部２４の上側から下側への移動が可能となる。言い換えると、側方が開放された空間である軒側保持凹部２８に対して上方から太陽電池モジュール１ａの軒側端部を挿入可能となる。
【００７３】
そして、そのまま太陽電池モジュール１ａの軒側端部を下方側へ移動させることで、太陽電池モジュール１ａの軒側端部が第３板部２７の下方に位置する軒側保持凹部２８へと到達する（図１３（ｃ）参照）。このとき、第２板部２６、第３板部２７に加わっていた力が解消され、弾性変形が解消された状態となる。このことにより、太陽電池モジュール１ａの軒側端部の上側に第３板部２７が位置した状態となり、太陽電池モジュール１ａの軒側端部が軒側保持凹部２８に挿入された状態となる。そして、この動作に伴い、太陽電池モジュール１ａの棟側端部もまた、棟側凹部３８に挿入された状態となる。
【００７４】
このように、太陽電池モジュール１ａの対向する２辺のそれぞれが、軒側保持凹部２８と棟側凹部３８に保持されることで、太陽電池モジュール１ａが屋根部材２に対して取り付けられた状態となる。この状態で、太陽電池モジュール１ａを上方に移動させようとしても、太陽電池モジュール１ａの軒側端部が第３板部２７の下面に当接し、太陽電池モジュール１ａの棟側端部が平板状部３７の下面に当接することで、その移動が阻止される。すなわち、係合片部２４を弾性変形させ、太陽電池モジュール１ａの軒側端部を軒側保持凹部２８から取り出さない限り、太陽電池モジュール１ａが屋根部材２から外れない構造となっている。
【００７５】
本実施形態では、太陽電池モジュール１を屋根部材２に嵌め入れるだけで取り付けが可能であり、ネジ止め等の作業を必ずしも必要としない構造となっている。すなわち、煩雑な作業を必ずしも必要としないので、取付作業を簡単に実施できる。
【００７６】
ここで、上記したように、本実施形態では複数の屋根部材２が桁行方向で隙間なく並列することで、複数の軒側保持凹部２８と、複数の棟側凹部３８がそれぞれ桁行方向に並列した状態となっている。このことから、図１４で示されるように、太陽電池モジュール１を屋根部材２に取り付けた状態で、太陽電池モジュール１を桁行方向（図１４におけるＸ方向）にスライド移動させることが可能となっている。
【００７７】
すなわち、並列する屋根部材２のうち、取付作業がやり易い位置に設置された屋根部材２に対して太陽電池モジュール１を取り付け、そのままスライド移動させることで、太陽電池モジュール１を設置予定位置まで移動させることが可能となる。
例えば、太陽電池モジュール１を屋根上まで運んで取り付ける際、屋根面の桁行方向における片側端部側に引き上げ、屋根面に引き上げた太陽電池モジュール１をこの片側端部側に位置する屋根部材２に取り付け、そのまま他方側端部へ向かう方向にスライド移動させて設置予定位置に配置していくといった作業が可能となる。このような作業を実施すると、作業者が足場の悪い屋根上で太陽電池モジュール１を持ち運んだり、太陽電池モジュール１を屋根上に引き上げるためのリフト装置を移動させたりする必要がなく、太陽電池モジュール１の取付作業を安全且つ簡単に実施できる。
【００７８】
こうして、軒側第１段目で並列する太陽電池モジュール１ａのそれぞれを配置予定位置で屋根部材２ａに取り付けた状態とすることにより、軒側第１段目の太陽電池モジュール１ａの取り付けが完了する。このとき、必要に応じて太陽電池モジュール１の配線作業を実施する。この配線作業は、このように各段の設置時に実施してもよく、全ての段の太陽電池モジュール１の設置が終了した後に実施してもよい。
【００７９】
これに続いて、軒側第２段目の太陽電池モジュール１ｂの取り付けを実施する（図１５参照）。
【００８０】
軒側第２段目の太陽電池モジュール１ｂの取付作業でもまた、軒側第１段目の太陽電池モジュール１ａの取付作業と同様に、太陽電池モジュール１ｂの棟側端部を軒側２段目の屋根部材２ｂに形成された棟側凹部３８に挿入させつつ、棟側凹部３８に挿入させた部分を回動中心して太陽電池モジュール１ｂを回動させる。そして、太陽電池モジュール１ｂの軒側端部を下方側へと移動させ、屋根部材２ｂの軒側保持凹部２８に挿入した状態とする。すなわち、係合片部２４を一時的に弾性変形させ、太陽電池モジュール１ｂの軒側端部を係合片部２４の上側から下側へと移動可能な状態とする。そして、太陽電池モジュール１ｂの軒側端部を軒側保持凹部２８まで移動させ、太陽電池モジュール１ｂの軒側端部を軒側保持凹部２８に挿入した状態とする。
このことにより、上記した軒側第１段目の太陽電池モジュール１ａの取付作業と同様に、太陽電池モジュール１ｂの軒側端部が軒側保持凹部２８に挿入され、それに伴い、太陽電池モジュール１ｂの棟側端部が棟側凹部３８に挿入された状態となる。
【００８１】
そして、軒側第２段目で並列する太陽電池モジュール１ｂのそれぞれを配置予定位置で屋根部材２ｂに取り付けた状態とすることにより、軒側第２段目の太陽電池モジュール１ｂの取り付けが完了する。
【００８２】
さらに、軒側第３段目以降の太陽電池モジュール１も同様の手順で順次取り付けていき、所望の段数の太陽電池モジュール１の設置作業を終えると、屋根上に側方側化粧板金３と棟側化粧板金４を取り付ける（図１６参照）。
【００８３】
より詳細には、屋根部材２及び太陽電池モジュール１が設置されている領域の外側であり、屋根面の桁行方向における端部よりの位置に側方側化粧板金３を取り付ける。
本実施形態では、各段の太陽電池モジュール１の列の桁行方向における両端部のそれぞれと隣接する位置に、１つずつ側方側化粧板金３を取り付けている。言い換えると、屋根部材２及び太陽電池モジュール１が設置されている領域と他の領域の境界線の近傍に、側方側化粧板金３を取り付けた状態となっている。そして、太陽電池モジュール１の上面の高さと、側方側化粧板金３の上面の高さが略同一の高さとなっている。
なお、側方側化粧板金３は、桁行方向の端部側に向かうにつれて高さが低くなるように形成し、太陽電池モジュール１を取り付けた部分と他の部分の段差が目立たないようにしてもよい。また、この側方側化粧板金３は、ビス止め等の適宜な手段により、屋根部材２と隣接する通常の金属瓦に一体に固定してもよく、通常の金属瓦に替わって野地板に固定してもよい。
【００８４】
さらに、屋根部材２及び太陽電池モジュール１が設置されている領域の外側であり、屋根面の軒棟における棟側よりの位置に棟側化粧板金４を取り付ける。
本実施形態では、最も棟側に位置する屋根部材２の棟側に位置する一部分を覆うように、棟側化粧板金４を取り付けている。言い換えると、屋根部材２及び太陽電池モジュール１が設置されている領域と他の領域の境界線の近傍となる部分に棟側化粧板金４を取り付け、この境界線を棟側化粧板金４が覆った状態となっている。
【００８５】
このように、側方側化粧板金３と棟側化粧板金４を取り付けることで、取付作業が完了し、太陽電池モジュール１を取り付けて形成される屋根構造が完成する（図１参照）。
【００８６】
ところで、上記した第１実施形態では、全て同形状の複数の屋根部材２を葺設する例を示したが、本発明はこれに限るものではない。例えば、図１７で示されるように、桁行方向の端部側に配する屋根部材１０２が中央側に位置する屋根部材２と異なる形状であっても構わない。
【００８７】
具体的に説明すると、屋根部材１０２は、平面視した形状が台形となっている点で上記した屋根部材２と異なっているが、側面視した形状は上記した屋根部材２と同様の形状となっている。すなわち、上記した屋根部材２と同様に、軒側辺保持部１６、軒側引掛部１７、棟側辺保持部１８、棟側引掛部１９を備えた構造となっている。言い換えると、屋根部材１０２は、屋根部材２の一部を切り落としたような形状となっている。
【００８８】
このような、屋根部材２と屋根部材１０２に対して太陽電池モジュール１を固定する際、図１７（ｂ）で示されるように、隣接する２つの屋根部材（屋根部材２、屋根部材１０２）の境界となる部分を跨ぐように太陽電池モジュール１を配置してもよい。
すなわち、１つの屋根部材２に対して１つの太陽電池モジュール１を取り付けてもよく、２以上の屋根部材（屋根部材２、屋根部材１０２）に対して１つの太陽電池モジュール１を取り付けてもよい。
【００８９】
ここで、並列配置される屋根部材２，１０２に対して太陽電池モジュール１を取り付けていく場合、図１７（ｂ）で示されるように、桁行方向における端部まで太陽電池モジュール１を敷き詰められない場合がある。すなわち、桁行方向における端部側に位置する屋根部材１０２の太陽電池モジュール１の取付領域（軒側辺保持部１６の軒端から軒側引掛部１７の棟端に至るまでの領域）に、平面視面積が太陽電池モジュール１の平面視面積よりも小さくなってしまう部分（以下、余剰領域とも称す）が形成されてしまう場合がある。
言い換えると、この太陽電池モジュール１の取付領域の軒側部分と棟側部分の少なくとも一方又は双方に（図１７（ｂ）では双方）、桁行方向の長さが太陽電池モジュール１の桁行方向の長さよりも小さくなる部分が形成される場合がある。
【００９０】
このような場合、この余剰領域に化粧用部材１０３（化粧板部材）を取り付けてもよい。なお、この化粧用部材１０３は、板金であってもよく、光電変換機能は有さないが導通可能なダミーモジュールであってもよい。板状体であって、屋根部材２、１０２に嵌め込んで取り付けが可能であればよい。
このような化粧用部材１０３を取り付けることで、通常の金属瓦とは異なる形状の屋根部材２，１０２の多くが露出して目立って見えてしまうことがなく、美しい外観の屋根を提供することが可能となる。
【００９１】
なお、並列配置される太陽電池モジュール１の桁行方向の端部側に２枚以上の化粧用部材１０３を並列させて取付けてもよく、この化粧用部材１０３の形状は適宜変更してもよい。例えば、平面視した形状が三角形状であってもよく、台形状であってもよく、四角形状であってもよい。加えて、並列配置される太陽電池モジュール１のうちの１つを化粧用部材１０３（ダミーモジュール）としてもよい。すなわち、並列配置される太陽電池モジュール１の桁行方向の端部に位置する太陽電池モジュール１に替わって化粧用部材１０３を配置してもよく、中央付近等の端部から離れた位置に設置した太陽電池モジュール１に替わって化粧用部材１０３を配置してもよい。
【００９２】
さらに、本発明は、上記したように平板状の屋根部材２，１０２を桁行方向で隙間なく並列させる構造でなくてもよい。すなわち、図１８で示されるように、長尺状の屋根部材２０２であっても構わない。すなわち、各段の太陽電池モジュール１をそれぞれ１つの屋根部材２０２に取り付けてもかまわない。
【００９３】
なお、この屋根部材２０２は、桁行方向に長く、平面視した形状が台形となっている点で上記した屋根部材２と異なっているが、側面視した形状は上記した屋根部材２と同様の形状となっている。すなわち、上記した屋根部材２と同様に、軒側辺保持部１６、軒側引掛部１７、棟側辺保持部１８、棟側引掛部１９を備えた構造となっている。
すなわち、上記した屋根部材２，１０２が並列して形成される列（図１７参照）を一体化したような形状となっている。
【００９４】
なお、この長尺状の屋根部材は、平面視した形状が台形状のものに限らず、四角形状のものであってもよい。この場合、屋根部材の長さを適宜変更し、２以上の長尺状の屋根部材を桁行方向に並列配置してもよい。
【００９５】
上記した第１実施形態では、第１保持部である軒側辺保持部１６を弾性変形可能な構造とし、第２保持部である棟側辺保持部１８を弾性変形しない構造としたが、本発明はこれに限るものではない。第１保持部と第２保持部の双方を弾性変形可能な構造としてもよい。この場合もまた、太陽電池モジュール１を下方側に押し入れるだけで取り付けが可能となるので、取付作業の簡易化が可能となる。
【００９６】
上記した第１実施形態では、太陽電池パネル１０にフレーム１１を取り付けて形成される太陽電池モジュール１を屋根部材２の上に固定したが、本発明はこれに限るものでない。例えば、屋根部材２に対し、フレーム１１を装着しない所謂フレームレス太陽電池モジュールを取り付けてもよい。
【００９７】
また、屋根部材２に取り付ける太陽電池モジュールは、４辺の全てがフレーム１１によって覆われた太陽電池モジュール１に限るものではない。例えば、太陽電池パネル１０の長辺側の部分のみがフレームによって覆われた太陽電池モジュールを屋根部材２に取り付けてもよい。すなわち、短辺側部材を有さず、長辺側部材のみを備えたフレームを太陽電池パネル１０に取り付けた太陽電池モジュールを形成し、この太陽電池モジュールを屋根部材２に取り付ける構造であっても構わない。同様に、屋根部材２に取り付ける太陽電池モジュールは、太陽電池パネル１０の短辺側の部分のみがフレームによって覆われた太陽電池モジュールであってもよい。
つまり、屋根部材２に取り付ける太陽電池モジュールは、４辺のうち、２辺のみがフレームによって覆われた太陽電池モジュールであってもよい。
【００９８】
さらに、屋根部材２に取り付ける太陽電池モジュールのフレームは、アルミニウム等の適宜な金属を主たる原料とする金属製のフレームであってもよく、ゴム等の樹脂を原料とするフレームであってもよい。
【００９９】
上記した第１実施形態では、１枚の鋼板を折り曲げ成形することで屋根部材２を形成する例を示した。すなわち、重なった２つの板状部分を折曲させ、屋根部材２の軒側引掛部１７、棟側辺保持部１８、棟側引掛部１９を形成する例を示した。しかしながら、本発明の屋根部材はこれに限るものではない。
例えば、屋根部材に形成する突起状の部分（軒側辺保持部、軒側引掛部、棟側辺保持部、棟側引掛部）と、平面状に広がる本体部分とを別途成形し、これらをリベット等の適宜な手段で固定して屋根部材を形成してもよい。また、平面状に広がる本体部分を形成した後、この本体部分の一部を切り起こして突起状の部分を形成してもよい。このように形成した場合、突起状の部分は、１枚の板状部分を折曲させて形成したものであっても構わない。つまり、屋根部材に形成する突起状の部分は、必ずしも複数の板状部分を重ねて折曲させる必要はなく、１枚の板状部分を折曲させて形成したものであっても構わない。
【０１００】
さらに第２実施形態の太陽電池モジュール３０１の取付構造について、詳細に説明する。なお、上記した実施形態と同様の部分については、同じ符号を付し、説明を省略する。
【０１０１】
第２実施形態の太陽電池モジュール３０１の取付構造は、フレーム３１１（フレーム部材）を有する太陽電池モジュール３０１（図１９参照）を取り付ける構造であり、上記した第１実施形態と同様に、屋根下地の上に公知の金属瓦（図示しない）と屋根部材３０２（図２０参照）を葺設し、この屋根部材３０２の上に太陽電池モジュール３０１を取り付けたものである。
この第２実施形態の太陽電池モジュール３０１の取付構造は、太陽電池モジュール３０１と屋根部材３０２が上記した実施形態と異なるものとなっている。すなわち、第１実施形態と同様に、側方側化粧板金３と棟側化粧板金４を必要に応じて取り付けてもよい。
【０１０２】
本実施形態の太陽電池モジュール３０１は、図１９で示されるように、太陽電池パネル１０の周縁部分にフレーム３１１を取り付けて形成されるものである。
【０１０３】
フレーム３１１は、太陽電池パネル１０の短辺を覆うように取り付けられる短辺側部材３１２と、長辺を覆うように取付けられる長辺側部材３１３を備えており、これらが一体に固定されて四角環状のフレーム３１１を形成している。
【０１０４】
長辺側部材３１３は、断面形状が略Ｌ字状で延びる本体部３０３と、掛止突起３０４を備えた構造となっている。
【０１０５】
本体部３０３は、平板状の底面補強部３０３ａと、底面補強部３０３ａの短手方向における端部を上方に折り曲げて形成される立板状の側面補強部３０３ｂを備えており、断面形状が略Ｌ字状で延びる長尺状の部分となっている。
【０１０６】
掛止突起３０４は、金属製の板状部材を折り曲げ加工したりすることで形成される部分であり、図１９（ｂ）で示されるように、平板状の取付板部３０５と、取付板部３０５の内側端部を下方に折り曲げて垂下させた立壁状の突起本体部３０６と、突起本体部３０６の下端を外側側方に折り曲げて形成される掛止片部３０７を備えた構造となっている。
【０１０７】
取付板部３０５は、掛止突起３０４を本体部３０３に固定するための部分である。すなわち、取付板部３０５の上面を底面補強部３０３ａの下面と密着させた状態でネジ等の締結要素を挿通することで、掛止突起３０４を本体部３０３に一体に固定している。
【０１０８】
掛止片部３０７は、突起本体部３０６の下端を外側上方に折り曲げて形成する傾斜板部３０８と、傾斜板部３０８の上端を内側に折り曲げて形成する平板状の返し板部３０９とを有する構造となっている。
すなわち、掛止片部３０７は、略三角筒状に折り曲げられた部分であり、その外側部分に、外側に向かうにつれて高さが高くなる傾斜面を有する構造となっている。言い換えると、掛止片部３０７が形成されている部分では、下方から上方に向かうにつれて幅方向の長さ（傾斜板部３０８の外側面から突起本体部３０６の内側面までの長さ）が長くなる構造となっている。
【０１０９】
また、掛止片部３０７の上面は、返し板部３０９の上面と同一の面であり、取付板部３０５の下面と上下方向で離間対向した状態となっている。この掛止片部３０７の上面は、突起本体部３０６の突出方向（上下方向）と略垂直に交わる面となっている。
【０１１０】
屋根部材３０２は、ガルバリウム鋼板等の金属製の板状部材を必要に応じて重ね合わせたり、折り曲げ加工したりすることで形成される部材であり、図２０で示されるように、上記した屋根部材２（図３等参照）と略同一の形状となっている。すなわち、屋根部材２と同じく、軒側引掛部１７、棟側辺保持部１８、棟側引掛部１９、本体板前方部２０、本体板中央部２１、本体板後方部２２を備えた構造となっている。
この屋根部材３０２と上記した屋根部材２とは、軒側辺保持部３１６（第１保持部）の構造が、上記した屋根部材２と軒側辺保持部１６の構造とは異なる点で相違している。
【０１１１】
軒側辺保持部３１６は、図２１で示されるように、上方に立ち上げられて直立した姿勢となる平板状の立板状部３２３と、立板状部３２３の上端を内側（後側であり棟側）に折り曲げて形成された水平板部３２４とを備えた構造となっている。すなわち、軒側辺保持部３１６は、立板状部３２３と水平板部３２４とが断面形状が略Ｌ字状となるように連続し、折曲しつつ延びる部分となっている。
【０１１２】
水平板部３２４の下方には、太陽電池モジュール３０１の掛止片部３０７を挿通可能な軒側掛止凹部３２８（掛止凹部）が形成されている。
【０１１３】
軒側掛止凹部３２８は、立板状部３２３と、水平板部３２４と、立板状部３２３の下端から後方に広がる本体板前方部２０によって囲まれる空間である。
この軒側掛止凹部３２８は、後側（棟側）を向いた開口面を有し、前側（軒側）に向かって窪んだ凹部となっている。すなわち、軒側掛止凹部３２８の深さ方向は、後側から前側へ向かう方向（棟側から軒側へ向かう方向）となっている。また、軒側掛止凹部３２８は、桁行方向（図２０参照、図２１では奥行方向）に延びる凹部となっている。つまり、軒側掛止凹部３２８は、前方に向かって凹となり、左右方向となる桁行方向（図２１では奥行方向）にも延びる略直方体状の空間となっている。
【０１１４】
つまり、軒側掛止凹部３２８もまた、上記した軒側保持凹部２８と同様に、上下方向と交わる方向（本実施形態では後方）に向かって開口し、上下方向と交わる方向（本実施形態では前後方向）に深くなる凹部であるといえる。つまり、軒側掛止凹部３２８は、上面側や下面側ではなく側面側に開口面を有する凹部となっている。
【０１１５】
続いて、本実施形態の太陽電池モジュール３０１の取付構造を構築するための太陽電池モジュール３０１の取付方法について詳細に説明する。
【０１１６】
まず、上記した太陽電池モジュール１の取付構造と同様に、屋根下地の上に屋根部材３０２と通常の金属瓦（図示しない）を葺設し、屋根面を完成させる。なお、屋根部材３０２の取付手順は、上記した屋根部材２の同様の手順であるため、重複する説明を省略する。
【０１１７】
そして、図２２で示されるように、屋根下地に取り付けた屋根部材３０２に対し、太陽電池モジュール３０１の取り付けを実施する。
【０１１８】
まず、図２２（ａ）で示されるように、太陽電池モジュール３０１の２つの掛止突起３０４を軒側辺保持部３１６と棟側辺保持部１８（掛止凹部）のそれぞれの上方に位置させた状態とする。そして、太陽電池モジュール３０１をそのまま下方側（屋根部材３０２側であり屋根下地側）へと移動させ、屋根部材３０２に近接させていく。
このことにより、一方の掛止突起３０４の傾斜板部３０８が、軒側辺保持部３１６の水平板部３２４に上方から当接し、もう一方の掛止突起３０４の傾斜板部３０８が、棟側辺保持部１８の平板状部３７に上方から当接した状態となる。
【０１１９】
この状態で、太陽電池モジュール３０１を下方側へと押圧することにより、２つの掛止突起３０４のそれぞれを弾性変形させた状態とする（図２２（ｂ）参照）。すなわち、２つの傾斜板部３０８がそれぞれ水平板部３２４、平板状部３７と接触したまま太陽電池モジュール３０１を下方へ移動させることで、２つの傾斜板部３０８のそれぞれに内側方向へ向かう力が作用し、掛止片部３０７が弾性変形した状態となる。そして、傾斜板部３０８から伝わる力により、掛止片部３０７と一体に形成された突起本体部３０６もまた、弾性変形した状態となる。すなわち、２つの掛止突起３０４のそれぞれが外側から押された状態となり、２つの掛止突起３０４のそれぞれの下端側が互いに近づく方向に移動しつつ、幅方向の長さ（傾斜板部３０８の外側面から突起本体部３０６の内側面までの長さ）が短くなるように変形した状態となる。
【０１２０】
このことにより、太陽電池モジュール３０１の下端側の部分が、同じ高さに配された水平板部３２４と平板状部３７の間に形成される隙間を一時的に通過可能となる。言い換えると、２つの掛止突起３０４の下端側であり、掛止片部３０７が形成されている部分が一時的に水平板部３２４、平板状部３７の上方から下方へ移動可能となる。
すなわち、側方が開放された空間である軒側掛止凹部３２８、棟側凹部３８に対して、水平方向に突出する突出片である掛止片部３０７を上方から挿入可能となる。
【０１２１】
そして、そのまま太陽電池モジュール３０１を下方側へ移動させることで、２つの掛止突起３０４がそれぞれ軒側掛止凹部３２８、棟側凹部３８へと到達する（図２２（ｃ）参照）。
このとき、傾斜板部３０８に加わっていた力が解消され、弾性変形が解消された状態となる。このことにより、２つの掛止片部３０７の上側に水平板部３２４，平板状部３７それぞれ位置した状態となり、２つの掛止片部３０７がそれぞれ軒側掛止凹部３２８、棟側凹部３８に挿入された状態となる。
【０１２２】
このように、２つの掛止片部３０７がそれぞれ軒側掛止凹部３２８と棟側凹部３８に掛止された状態となることで、太陽電池モジュール３０１が屋根部材３０２に対して取り付けられた状態となる。この状態では、太陽電池モジュール３０１を上方に移動させようとしても、返し板部３０９の上面がそれぞれ水平板部３２４、平板状部３７の下面に当接し、その移動が阻止される。すなわち、いずれかの掛止突起３０４を弾性変形させ、軒側掛止凹部３２８又は棟側凹部３８から取り出さない限り、太陽電池モジュール３０１が屋根部材３０２から外れない構造となっている。
【０１２３】
そして、同様の手順で太陽電池モジュール３０１を順次取り付けていき、所望の数の太陽電池モジュール３０１の取り付け作業を終え、必要に応じて側方側化粧板金３と棟側化粧板金４を取り付けることで、一連の取付作業が完了し、太陽電池モジュール３０１を取り付けて形成される屋根構造が完成する。
【０１２４】
この屋根構造においても、上記した場合と同様に、太陽電池モジュール３０１を屋根部材３０２に取り付けた状態で、太陽電池モジュール３０１を桁行方向にスライド移動させることが可能となっている。また、上記した場合と同様に、太陽電池モジュール３０１を屋根部材３０２に嵌め入れるだけで取り付けが可能であり、ネジ止め等の煩雑な作業を必ずしも必要としないので、取付作業を簡単に実施できる。
【０１２５】
上記した第２実施形態では、掛止突起３０４を弾性変形可能な構造とし、軒側辺保持部３１６、棟側辺保持部１８に挿入する例を示したが、本発明はこれに限るものではない。
例えば、掛止突起を弾性変形可能な構造とせず、軒側辺保持部や棟側辺保持部を弾性変形可能な構造としてもよい。すなわち、軒側辺保持部と棟側辺保持部の少なくとも一方を上記した軒側辺保持部１６のような構造とし、棒状の突起本体部の側面から棒状又は塊状の掛止片部が側方に突出するような構造としてもよい。また、掛止突起と、この掛止突起を掛止する軒側辺保持部や棟側辺保持部の双方が弾性変形可能な構造であってもよい。
すなわち、掛止させる掛止突起と、掛止突起の少なくとも一部が挿入される軒側辺保持部又は棟側辺保持部のうちの少なくとも一方が弾性変形可能な構造であればよい。
【０１２６】
上記した第２実施形態では、フレーム３１１に掛止突起３０４を設け、屋根部材３０２に保持部である軒側辺保持部３１６と棟側辺保持部１８を設けた例を示したが、本発明はこれに限るものではない。例えば、太陽電池モジュールのフレームの側面等に軒側辺保持部、棟側辺保持部を設け、屋根部材に上方に突出する掛止突起を設ける構成であっても構わない。
【０１２７】
この第２実施形態においても、全て同形状の複数の屋根部材３０２を葺設する構造に限るものではない。すなわち、上記した場合と同様に、側面視した形状が屋根部材３０２と同形で、平面視した形状が台形となる屋根部材であってもよい。そして、平面視が長方形状となる屋根部材３０２と、台形となる屋根部材を並列配置してもよい。
このとき、１つの屋根部材に対して１つの太陽電池モジュール３０１を取り付けてもよく、２以上の屋根部材に対して１つの太陽電池モジュール３０１を取り付けてもよい。そして、隣接する２つの屋根部材の境界となる部分を跨ぐように太陽電池モジュール３０１を配置してもよい。
【０１２８】
さらに、側面視した形状が屋根部材３０２と同形で、長尺状に延びる屋根部材としてもよい。上記した場合と同様に、長尺状の屋根部材や、並列配置される屋根部材の所定箇所に化粧用部材１０３を取り付けてもよい
【０１２９】
上記した各実施形態では、屋根下地の上に屋根部材２と通常の金属瓦（図示しない）を葺設した屋根面を完成させた後、軒側から太陽電池モジュール１を取り付ける例を示したが、本発明はこれに限るものではない。棟側から順に太陽電池モジュール１を取り付けてもよく、傾斜方向の中央側から太陽電池モジュール１を取り付けてもよい。すなわち、太陽電池モジュール１の取り付け順は、適宜設定して構わない。
【０１３０】
上記した各実施形態では、屋根部材（２，１０２，２０２，３０２）と通常の金属瓦を混在させた屋根構造について説明したが、本発明はこれに限るものではない。屋根下地の全面に屋根部材（２，１０２，２０２，３０２）を葺いた構造であってもよい。
【符号の説明】
【０１３１】
１，３０１  太陽電池モジュール
２，１０２，２０２，３０２  屋根部材
３  側方側化粧板金（化粧板部材）
４  軒側化粧板金（化粧板部材）
１６，３１６  軒側辺保持部（第１保持部）
１８  棟側辺保持部（第２保持部）
２８  軒側保持凹部（保持凹部）
３８  棟側凹部（保持凹部，掛止凹部）
１０３  化粧用部材（化粧板部材）
３１１  フレーム（フレーム部材）
３０４  掛止突起
３０６  突起本体部
３０７  掛止片部
３２８  軒側掛止凹部（掛止凹部）
【図１】
2016191269.tif 000003
【図２】
2016191269.tif 000004
【図３】
2016191269.tif 000005
【図４】
2016191269.tif 000006
【図５】
2016191269.tif 000007
【図６】
2016191269.tif 000008
【図７】
2016191269.tif 000009
【図８】
2016191269.tif 000010
【図９】
2016191269.tif 000011
【図１０】
2016191269.tif 000012
【図１１】
2016191269.tif 000013
【図１２】
2016191269.tif 000014
【図１３】
2016191269.tif 000015
【図１４】
2016191269.tif 000016
【図１５】
2016191269.tif 000017
【図１６】
2016191269.tif 000018
【図１７】
2016191269.tif 000019
【図１８】
2016191269.tif 000020
【図１９】
2016191269.tif 000021
【図２０】
2016191269.tif 000022
【図２１】
2016191269.tif 000023
【図２２】
2016191269.tif 000024